(57)【要約】【課題】部品点数を少なくして製造コストを低減し、紐状体を多数連結することができ、連結並びに解除を簡単に行うことができる紐状体の連結手段を提供するものである。【解決手段】紐状体１０の両端に１個の部品から成る同一の連結具１２を固定する。連結具１２は軸方向の一端から内部の途中まで切り込み空間１４を形成し、その切り込み空間によって２個の腕部１６を形成し、一方の腕部１６に切り込み空間１４に突出する突出部１８を形成し、切り込み空間１４の途中に突出部１８と嵌合する拡大空間部２４を形成する。互いに切り込み空間１４を重ね合わせる方向に２個の連結具１２を押し込むことで２個の連結具１２を連結でき、２個の連結具１２を引き離すことで２個の連結具１２を引き離すことができる。紐状体１０の両端の連結は、同一の連結具１２を嵌合するものであるので、多数の紐状体１０を連結することが可能となる。【選択図】      図１
2004167071.tif 000002
【特許請求の範囲】
【請求項１】
紐状体の両端に１個の部品から成る同一の連結具を固定するものであって、前記連結具は軸方向の一端から内部の途中まで切り込み空間を形成し、その切り込み空間によって２個の腕部を形成し、少なくとも一方の腕部に前記切り込み空間の軸方向に直角方向に突出する突出部を形成し、前記切り込み空間の途中に前記突出部と嵌合する拡大空間部を形成したことを特徴とする紐状体の連結手段。
【請求項２】
前記突出部を前記切り込み空間の開口部に近い位置に形成し、前記拡大空間部を前記切り込み空間の奥側に形成したことを特徴とする請求項１記載の紐状体の連結手段。
【発明の詳細な説明】
【０００１】
【発明の属する技術分野】
本発明は、紐状体の両端を容易に連結並びに解除することができる紐状体の連結手段に関するものである。
【０００２】
【従来の技術】
従来から、紐状体の両端に連結手段を取付け、その連結手段を連結したり解除したりして、紐状体を輪状にしたり線状にしたりするものがある。連結手段を取付ける紐状体としては、ネックレスや時計や健康回復用や健康促進用の素材を収容した健康具等の種々の商品が存在する。
【０００３】
紐状体の両端の連結手段としては、紐状体の両端にオスネジとメスネジを取付け、両者を螺合によって連結や解除をするものが知られている。しかし、オスネジとメスネジとから成るネジ式のものは、両者を少なくとも数回転させる必要があるために、連結や解除に手間がかかるという問題があった。
【０００４】
このネジ式の連結の煩わしさを無くして、連結と解除とを簡単に行わせる種々の接続具が提供されている。例えば特許文献１に示す接続具は、ピン体をハウジングに差し込むだけで連結状態になり、一方、係合体をハウジングの内部方向に押し込むだけで連結状態を解除できるものであり、連結と解除とを簡単に行うことができるものである。
【０００５】
【特許文献１】
特開平９−８４６１３号公報（第２，４，５頁、図１）
【０００６】
【発明が解決しようとする課題】
特許文献１の接続具は、ハウジングと、ガイド体と、放射状に配置する複数個の球体と、ピン体と、係合体と、係合体を所定方向に付勢するバネ体等の部品から構成されている。この接続具の構成部品のうち、球体とバネ体を除く４種類の部品については型成形によって作られるものであり、球体とバネ体は既存の部品を購入しなければならない。このため、特許文献１の接続具では、部品点数の多さと部品の型代とから、製造コストが高いものになっていた。また、接続具を解除するための係合体の押圧操作と、接続具を固定するためのピン体の挿入操作とは、ハウジングの同じ位置で行うものである。このため、紐状体を複数個連結することができない欠点があった。
【０００７】
本発明は、部品点数を少なくして製造コストを低減し、紐状体を多数連結することができ、連結並びに解除を簡単に行うことができる紐状体の連結手段を提供することを目的とするものである。
【０００８】
【課題を解決するための手段】
本発明に係る紐状体の連結手段は、紐状体の両端に１個の部品から成る同一の連結具を固定するものであって、前記連結具は軸方向の一端から内部の途中まで切り込み空間を形成し、その切り込み空間によって２個の腕部を形成し、少なくとも一方の腕部に前記切り込み空間の軸方向に直角方向に突出する突出部を形成し、前記切り込み空間の途中に前記突出部と嵌合する拡大空間部を形成したものである。更に、前記突出部を前記切り込み空間の開口部に近い位置に形成し、前記拡大空間部を前記切り込み空間の奥側に形成したものである。
【０００９】
【発明の実施の形態】
次に、本発明を図面に基づいて説明する。
図１は本発明に係る紐状体の連結手段を示す斜視図、図２は紐状体の連結手段の構成部材である連結具の断面図である。図１に示すように、本発明に係る紐状体の連結手段は、紐状体１０の両端に固定する同一形状の２個の連結具１２から成るものである。この連結具１２は１個の部品からなるものであり、例えば型成形によって作るものである。連結具１２は、柱状の形状であり、長手軸方向の一端から他端近くまですり割りのような切り込み空間１４（図２）を形成し、その切り込み空間１４によって区画される２個の腕部１６を形成したものである。この２個の腕部１６は、断面を十字に４個切断した状態において、互いに向かい合う側に位置する２個から成るものである（図６）。
【００１０】
切り込み空間１４によって区画される２個の腕部１６の対向する面において、切り込み空間１４の開口部に近い位置に、切り込み空間１４の軸方向に対して直角な方向に突出する突出部１８（図１，２，３）を形成する。この突出部１８は、一方の腕部１６に形成し、他方の腕部１６の突出部１８に対向する位置に第一へこみ部２０（図１，２，３）を設ける。なお、一方の腕部１６にのみ突出部１８を設けたが、他方の腕部１６にも突出部１８を設けても良い。また、突出部１８に対向する位置の第一へこみ部２０は、設けても設けなくてもどちらでも良い。
【００１１】
切り込み空間１４の奥まった位置において、２個の腕部１６の互いに対向する位置にそれぞれ第二へこみ部２２（図１，２，４）を形成する。各腕部１６に形成された一対の第二へこみ部２２によって、切り込み空間１４の空間幅より空間幅の大きい拡大空間部２４（図１，２，４）を形成する。この拡大空間部２４は前記突出部１８と嵌合するためのものである。
【００１２】
連結具１２において、切り込み空間１４の開口部とは反対側の端面に、軸方向へこみ部２６を形成する。その軸方向へこみ部２６に紐状体１０の一端を圧入して連結具１２と紐状体１０とを固定する。連結具１２と紐状体１０との固定方法は、この圧入に限るものではない。なお、連結具１２には必ずしも軸方向へこみ部２６を設ける必要はない。紐状体１０の形状は、鎖状のものや中実状のものや中空状のもの等、どのような形状のものであっても良い。紐状体１０が中空状のものである場合に、その中空の内部に例えば健康回復用や健康促進用の素材を収容する等、目的に応じた各種素材を収容することができる。紐状体１０の素材もどのようなものであっても良い。
【００１３】
本発明に係る紐状体の連結手段を用いた紐状体１０を連結する場合には、図１に示すように、連結具１２における切り込み空間１４の開口部側を対向させた状態とし、一方の連結具１２を他方の連結具１２に対して９０度だけ角度を変え、互いの切り込み空間１４の軸中心を合わせた状態で、互いの連結具１２を近接合体させる。各連結具１２の突出部１８は、他方の連結具１２の切り込み空間１４を開きながら、切り込み空間１４の奥に向けて移動し、図７に示すように、一方の連結具１２の突出部１８を他方の連結具１２の拡大空間部２４に嵌合する。突出部１８と拡大空間部２４との２箇所の嵌合によって、２個の連結具１２が連結される。このように、２個の連結具１２の連結は、２個の連結具１２を互いに近づけて合体するだけで、連結操作を簡単に行うことができる。
【００１４】
紐状体１０の両端の連結は、同一の２個の連結具１２を合体することで行えることから、多数の紐状体１０を順次連結することができ、両端に連結具１２を備えた紐状体１０を用いて、大きさの異なる環状物を作ることができる。
【００１５】
図５，図６，図７は、２個の連結具１２を連結した状態を示す。図７に示すように、突出部１８が拡大空間部２４に嵌合した状態では、小さい力で２個の連結具１２を引き離そうとしても２個の連結具１２は離れず、大きい力で２個の連結具１２を引き離そうとした場合にのみ離れるように設定する。２個の連結具１２を引き離す方向に小さな力が働いても、２個の連結具１２が離れることがないので、紐状体１０の連結手段として使用することができる。また、突出部１８と拡大空間部２４との嵌合を外すことができる大きな力を加えることによって、２個の連結具１２を引き離すことができる。このように、２個の連結具１２を引き離す方向に力を加えることだけで２個の連結具１２が離れるので、連結具１２の連結の解除を簡単に行うことができる。
【００１６】
なお、前記実施形態では、切り込み空間１４の開口部に近い位置に、切り込み空間１４に直角な方向に突出する突出部１８を形成し、切り込み空間１４の奥まった位置に拡大空間部２４を形成したが、切り込み空間１４の開口部に近い位置に拡大空間部２４を形成し、切り込み空間１４の奥まった位置に突出部１８を形成するようにしても良い。但し、切り込み空間１４の開口部に近い位置に突出部１８を形成する方が、突出部１８と拡大空間部２４都の嵌合前に突出部１８同士の接触があるため、操作段階の感触を得ることができる上から望ましい。
【００１７】
【発明の効果】
以上説明したように本発明に係る紐状体の連結手段によれば、型成形によって製造した２個の同一の連結具を紐状体に固定したものである。即ち、本発明は１個の部品のみから成るもので、従来の連結手段のような多数の部品から構成されるものと比べて、製造コストを大幅に低減することができる。また、連結は２個の連結具を互いに近づける方向に押して行うことができ、連結の解除は２個の連結具を互いに引き離す方向に引いて行うことができ、その連結や解除の操作は非常に簡単である。更に、紐状体の両端の連結は、同一の２個の連結具を嵌合するものであるので、紐状体を順に多数連結することができ、異なる大きさの環状物を作ることができる。
【図面の簡単な説明】
【図１】本発明に係る紐状体の連結手段を示す斜視図である。
【図２】紐状体の連結手段の構成部材である連結具の断面図である。
【図３】図２のＡ−Ａ線断面図である。
【図４】図２のＢ−Ｂ線断面図である。
【図５】一対の紐状体の連結手段を連結した状態を示す正面図である。
【図６】図５のＣ−Ｃ線断面図である。
【図７】図５の要部縦断面である。
【符号の説明】
１０  紐状体
１２  連結具
１４  切り込み空間
１６  腕部
１８  突出部
２４  拡大空間部
２６  紐状体
【図１】
2004167071.tif 000003
【図２】
2004167071.tif 000004
【図３】
2004167071.tif 000005
【図４】
2004167071.tif 000006
【図５】
2004167071.tif 000007
【図６】
2004167071.tif 000008
【図７】
2004167071.tif 000009